(57)【要約】【課題】骨格となるボトムプレートの変形や割れを抑制し、安定した取り付けが可能な乗り物用シートを提供する。【解決手段】乗り物用シートＳは、ボトムプレート１０上に配置されたクッション材２０を表皮材３０で被覆し、表皮端末部３１をボトムプレート１０の裏面に取り付けて構成されたシートである。ボトムプレート１０表面の外周部分において表皮端末部３１が取り付けられた部分と対向する位置には、複数の補強リブ１７が形成されている。互いに隣り合う補強リブ１７は、ボトムプレート１０の外周方向において取り付け部材１８を挟む位置に配置されている。【選択図】図５
2016159888.tif 000002
【特許請求の範囲】
【請求項１】
ボトムプレート上に配置されたクッション材を表皮材で被覆し、該表皮材の端末となる表皮端末部を前記ボトムプレートに取り付けて構成された乗り物用シートであって、
前記ボトムプレートのうち、前記表皮端末部が取り付けられる面とは反対側の面には、該面から突出する補強リブが形成され、
該補強リブは、前記表皮端末部が取り付けられる部分と対向する位置に配置されていることを特徴とする乗り物用シート。
【請求項２】
前記表皮材は、前記ボトムプレートの外周部分を覆い、前記表皮端末部が前記外周部分の裏面に取り付けられるように配置され、
前記補強リブは、前記外周部分の表面から前記クッション材に向かって突出していることを特徴とする請求項１に記載の乗り物用シート。
【請求項３】
前記ボトムプレートの外周部分の少なくとも一部には、折れ曲がり部が形成され、
前記補強リブは、前記ボトムプレートの面に沿って前記折れ曲がり部を通るように延びていることを特徴とする請求項１又は２に記載の乗り物用シート。
【請求項４】
前記折れ曲がり部は、段差形状の段差部であることを特徴とする請求項３に記載の乗り物用シート。
【請求項５】
前記補強リブは、前記ボトムプレートの外周部分の端末となるプレート端末部よりも中央部分側の位置に配置されていることを特徴とする請求項１乃至４のいずれか１項に記載の乗り物用シート。
【請求項６】
前記表皮端末部は、前記ボトムプレートに複数の取り付け部材によって取り付けられ、
該複数の取り付け部材は、前記ボトムプレートの面に沿って所定方向に間隔を空けて配置され、
前記補強リブは、前記所定方向とは交差方向に向かって延びていることを特徴とする請求項１乃至５のいずれか１項に記載の乗り物用シート。
【請求項７】
前記補強リブは、前記所定方向に間隔を空けて複数形成され、
互いに隣り合う前記補強リブが、前記所定方向において前記取り付け部材を挟む位置に配置されていることを特徴とする請求項６に記載の乗り物用シート。
【請求項８】
互いに隣り合う前記補強リブの間隔が、前記取り付け部材よりも大きくなるように構成されていることを特徴とする請求項７に記載の乗り物用シート。
【請求項９】
前記補強リブは、前記ボトムプレートの外周部分から、前記取り付け部材及び前記表皮端末部よりも前記中央部分側の位置まで延びていることを特徴とする請求項６乃至８のいずれか１項に記載の乗り物用シート。
【発明の詳細な説明】
【技術分野】
【０００１】
本発明は、乗り物用シートに係り、特に、オートバイ、雪上バイク、水上バイク等に使用される鞍乗型乗り物用シートに関する。
【背景技術】
【０００２】
従来、ボトムプレート上に載置されたクッション材を表皮材で被覆して構成される鞍乗型乗り物用シートでは、ボトムプレートを表皮材で巻き込んだ上で表皮端末部をタッカー針（ステイプル）等を用いて固定する方法が用いられている。
そのとき、一般に樹脂材料からなるボトムプレートにタッカー針等を打ち込む際に、ボトムプレートが割れないように工夫する必要がある。
特に、新興国では、表皮材の補修や意匠替えのために表皮材を貼り替える場合があって、表皮材の端末部を再固定するためにタッカー針を打ち直すことや、追加で打ち込むことが通常なされており、ボトムプレートが一層割れないように工夫する必要がある。
【０００３】
例えば、特許文献１に記載の乗り物用シートでは、ボトムプレートに相当する底板の面上に、上側又は下側に向けて突出し、シート前後方向及びシート幅方向に対して鋭角をなす態様で延びる突起部が補強リブとして全体的に形成されている。
また例えば、特許文献２に記載の鞍乗型車両シートでは、ボトムプレートに相当する底板の面上に、シート長手方向に沿って延びる複数の縦リブや、複数の縦リブを繋ぐように延びる複数の横リブが全体的に形成されている。
このように構成することで、ボトムプレートの剛性を確保しながらも、補強リブの形状を工夫することで極力シートの軽量化を目指している。
【先行技術文献】
【特許文献】
【０００４】
【特許文献１】特開２００９−１５４８４８号公報
【特許文献２】特開２０１２−６２０３０号公報
【発明の概要】
【発明が解決しようとする課題】
【０００５】
しかしながら、特許文献１、２に記載のシートでは、あくまで着座者から受ける荷重等を支持するためにボトムプレート全体の剛性を高めているのであって、ボトムプレートにタッカー針等を打ち込む際にボトムプレートが割れないように特別に工夫したものではなかった。すなわち、ボトムプレートに表皮材（表皮端末部）を安定して取り付けることを目的として補強リブを配置しているものではなかった。
【０００６】
本発明は、上記の課題に鑑みてなされたものであり、本発明の目的は、ボトムプレート上に載置されたクッション材を表皮材で被覆してなる乗り物用シートにおいて、ボトムプレートに表皮材（表皮端末部）を取り付ける際に、ボトムプレートの変形や割れを抑制し、安定した取り付けが可能な乗り物用シートを提供することにある。
【課題を解決するための手段】
【０００７】
前記課題は、本発明の乗り物用シートによれば、ボトムプレート上に配置されたクッション材を表皮材で被覆し、該表皮材の端末となる表皮端末部を前記ボトムプレートに取り付けて構成された乗り物用シートであって、前記ボトムプレートのうち、前記表皮端末部が取り付けられる面とは反対側の面には、該面から突出する補強リブが形成され、該補強リブは、前記表皮端末部が取り付けられる部分と対向する位置に配置されていること、により解決される。
上記のように、補強リブは、ボトムプレートのうち、表皮端末部が取り付けられる部分と対向する位置に配置されているため、ボトムプレートに表皮端末部を取り付ける際にボトムプレートの変形や割れを抑制することができる。
また、補強リブは、ボトムプレートのうち、表皮端末部が取り付けられる面とは反対側の面に形成されているため、例えば、ボトムプレートの裏面に表皮端末部をタッカー針（ステイプル）等で取り付ける際に、当該裏面を略平坦に形成することでタッカー針の打ち込み作業が容易になる。
【０００８】
このとき、前記表皮材は、前記ボトムプレートの外周部分を覆い、前記表皮端末部が前記外周部分における裏面に取り付けられるように配置され、前記補強リブは、前記ボトムプレートの表面から前記クッション材に向かって突出していると良い。
上記のように、補強リブは、ボトムプレート表面の外周部分からクッション材に向かって突出しているため、シートの外周部分においてクッション材の支持をサポートすることができ、またシートの外周部分における剛性が向上する。
【０００９】
このとき、前記ボトムプレートの外周部分の少なくとも一部には、折れ曲がり部が形成され、前記補強リブは、前記ボトムプレートの面に沿って前記折れ曲がり部を通るように延びていると良い。
また、前記折れ曲がり部は、段差形状の段差部であると良い。
一般に乗り物用シートにおいてボトムプレートの外周部分には、乗り物本体に組み付けるための折れ曲がり部（段差部）が形成されているところ、上記のように補強リブが折れ曲がり部を通るように延びているため、折れ曲がり部のような非平坦形状で比較的割れ易い部分を補強リブで補強できる。
【００１０】
このとき、前記補強リブは、前記ボトムプレートの外周部分の端末となるプレート端末部よりも中央部分側の位置に配置されていると良い。
一般にボトムプレートのプレート端末部にリブが突出形成されていると、ボトムプレートに表皮端末部を巻き込んで取り付けたときに、表皮材に皺や弛みが発生してしまいシートの外観に影響を及ぼしてしまう。
しかしながら、上記のように、補強リブがプレート端末部を避けて中央部分側の位置に配置されているため、意匠性を確保することができる。
【００１１】
このとき、前記表皮端末部は、前記ボトムプレートに複数の取り付け部材によって取り付けられ、該複数の取り付け部材は、前記ボトムプレートの面に沿って所定方向に間隔を空けて配置され、前記補強リブは、前記所定方向とは交差方向に向かって延びていると良い。
上記のように、補強リブが、取り付け部材と対向する位置に配置され、例えばタッカー針のような取り付け部材の取り付け方向とは交差方向に向かって延びているため、タッカー針の挿入圧に伴う力が加わった際に、補強リブが効果的に力を受容する配置となって、ボトムプレートの変形や割れを抑制できる。
【００１２】
このとき、前記補強リブは、前記所定方向に間隔を空けて複数形成され、互いに隣り合う前記補強リブが、前記所定方向において前記取り付け部材を挟む位置に配置されていると良い。
上記構成により、複数のリブの好適な配置によって、ボトムプレートの変形や割れを一層抑制できる。
【００１３】
このとき、互いに隣り合う前記補強リブの間隔が、前記取り付け部材よりも大きくなるように構成されていると良い。
上記構成により、例えばタッカー針のような取り付け部材をボトムプレートに取り付ける際に、取り付け部材を補強リブとは重ならない位置に目がけて容易に打ち込むことができる。
【００１４】
このとき、前記補強リブは、前記ボトムプレートの外周部分から、前記取り付け部材及び前記表皮端末部よりも前記中央部分側の位置まで延びていると良い。
上記構成により、ボトムプレートの外周部分において剛性を向上できる。
また、取り付け部材の取り付け位置が多少ずれてしまっても、ボトムプレートの変形や割れを抑制できる。
【発明の効果】
【００１５】
請求項１の発明によれば、ボトムプレートに表皮端末部を取り付ける際にボトムプレートの変形や割れを抑制できる。
また例えば、ボトムプレートの裏面に表皮端末部をタッカー針等で取り付ける際に、当該裏面を略平坦に形成することでタッカー針の打ち込み作業が容易になる。
請求項２の発明によれば、シートの外周部分においてクッション材の支持をサポートすることができ、またシートの外周部分における剛性が向上する。
請求項３、４の発明によれば、一般に乗り物用シートにおいてボトムプレートの外周部分には、乗り物本体に組み付けるための折れ曲がり部（段差部）が形成されているところ、折れ曲がり部のような非平坦形状で割れ易い部分を補強リブで補強できる。
【００１６】
請求項５の発明によれば、一般にボトムプレートの端末部にリブが突出形成されていると、表皮端末部を巻き込んだときに表皮材に皺や弛みが発生してしまうところ、意匠性を確保することができる。
請求項６の発明によれば、タッカー針の挿入圧に伴う力が加わった際に、補強リブが効果的に力を受容する配置となって、ボトムプレートの変形や割れを抑制できる。
請求項７の発明によれば、複数のリブの好適な配置によって、ボトムプレートの変形や割れを一層抑制できる。
【００１７】
請求項８の発明によれば、例えばタッカー針のような取り付け部材を補強リブとは重ならない位置に目がけて容易に打ち込むことができる。
請求項９の発明によれば、ボトムプレートの外周部分において剛性を向上できる。また、取り付け部材の取り付け位置が多少ずれてしまっても、ボトムプレートの変形や割れを抑制できる。
【図面の簡単な説明】
【００１８】
【図１】本実施形態の乗り物用シートを示す右側面図である。
【図２】シートのボトムプレートを上面側から見た斜視図である。
【図３】図２のボトムプレートの要部拡大図である。
【図４】図２のボトムプレートの要部拡大図であって、補強リブの詳細を示す図である。
【図５】シートの外周部分を示す縦断面図である。
【図６】シートの外周部分を裏面側から見たときの説明図である。
【発明を実施するための形態】
【００１９】
以下、本発明の実施形態に係る乗り物用シートについて、図１〜図６を参照しながら説明する。
本実施形態は、ボトムプレート上に配置されたクッション材を表皮材で被覆し、表皮端末部をボトムプレートの裏面に取り付けて構成されたオートバイ用のシートであって、ボトムプレート表面の外周部分において表皮端末部が取り付けられた部分と対向する位置には、複数の補強リブが形成されており、互いに隣り合う補強リブが、外周方向に沿って取り付け部材を挟む位置に配置されていることを特徴とする乗り物用シートの発明に関するものである。
【００２０】
本実施形態のシートＳは、図１に示すように、オートバイの着座部を構成する部材であって、ベース基板となるボトムプレート１０と、ボトムプレート１０上に載置されるクッション材２０と、ボトムプレート１０及びクッション材２０を被覆する表皮材３０と、から主に構成されている。
シートＳでは、図５に示すように、タッカー針等の取り付け部材１８を用いて、表皮材３０の端末となる表皮端末部３１をボトムプレート１０の裏面に取り付ける表皮端末処理が行われている。
【００２１】
ボトムプレート１０は、ポリプロピレン、ポリエチレン等を原材料とする板状の合成樹脂成形品からなり、オートバイ本体に取り付けられるシートＳのベース基板である。
クッション材２０は、発泡ウレタン等を用いた弾性部材からなる。
表皮材３０は、ポリ塩化ビニル系レザー等を用いた被覆材からなり、直接風雨に曝されるオートバイ用の表皮材として好適である。詳しく言うと、表皮材３０は、織物、編み物、不織布等の繊維基材の表面に軟質ポリ塩化ビニル層を積層して形成されている。
【００２２】
ボトムプレート１０は、図２に示すように、シート前後方向に長尺であってオートバイ本体の形状に合わせて略階段形状（略段差形状）に形成されている。
ボトムプレート１０は、本体部分となるプレート本体部１１と、プレート本体部１１の外周部分を下方に屈曲させたフランジ部分となるプレート外周部１２と、から主に構成されている。また、プレート本体部１１とプレート外周部１２の間には、段差形状の段差部１３が形成されている。
【００２３】
プレート本体部１１は、シート前方部分においてオートバイ本体に回動可能に取り付けられる領域となるヒンジ取り付け領域１１ａと、シート前後方向の中央部分において着座者を支持する領域となる着座領域１１ｂと、シート後方部分においてオートバイの燃料給油口に対応する領域となる給油口対応領域１１ｃと、に区画されている。
プレート本体部１１の表面には、図２に示すように、略全領域にわたって表面から突出形成された板状の突出リブ１４と、着座領域１１ｂにおいて上方に突出形成された環状の環状凸部１５と、環状凸部１５と交互に並ぶように配置され、下方に突出形成された環状の環状凹部１６と、が設けられている。
【００２４】
突出リブ１４は、図２に示すように、ボトムプレート１０と一体成形された板状部材からなり、ヒンジ取り付け領域１１ａにおいて略格子形状を形成するように直線状に延びており、着座領域１１ｂにおいて略ハニカム形状を形成するように中央部分から放射状に延びており、給油口対応領域１１ｃにおいてシート前後方向又は幅方向に間隔を空けながら直線状に延びている。
環状凸部１５は、略六角形状の環状体からなり、詳しく言うと略正六角形を環状に並べて形成されており、シート着座領域の中央側にある環状凸部１５ａの各外側頂点と、外側にある環状凸部１５ｂの各内側頂点とが、突出リブ１４を介して互いに連結されている。
環状凹部１６は、同様に略正六角形を環状に並べて形成されており、環状凹部１６を所定の間隔で区画するように突出リブ１４が配置されている。
環状凸部１５、環状凹部１６は、着座領域１１ｂにおいて中央部分にある中央貫通孔から外側に放射状に拡がって、ハニカム形状を形成している。
【００２５】
上記構成により、シートＳでは、着座者から受ける荷重等を支えるためにボトムプレート全体の剛性を高めることができる。同時に、車両の燃費向上のためにリブや凹凸部の形状を工夫することでシートの軽量化を達成している。
また、シート全体のうち、特に強度が必要とされるシートのヒンジ取り付け領域１１ａ、着座領域１１ｂ、そして給油口対応領域１１ｃにおいて剛性を確保できる。
【００２６】
次に、プレート外周部１２の表面には、図２、図３に示すように、当該表面からクッション材２０に向かって突出する補強リブ１７が形成されている。
補強リブ１７は、ボトムプレート１０と一体成形された板状部材からなり、プレート外周部１２に沿って所定の間隔を空けて複数設けられている。
詳しく言うと、補強リブ１７は、プレート外周部１２においてシート前方部分からシート側方部分の前方位置まで配置されており、かつ、シート側方部分の後方位置からシート後方部分まで配置されている。すなわち、着座者がシートＳを跨ぐようにして着座したときに、着座者の大腿部に重なる位置を避けて補強リブ１７が配置されている。
そのため、着座者の着座フィーリングに補強リブ１７が影響を及ぼすことを抑制できる。
【００２７】
補強リブ１７は、図３、図４に示すように、プレート外周部１２において外側端末となるプレート端末部１２ａよりもやや中央部分側の位置に配置されており、プレート端末部１２ａを避けた位置に形成されている。
また補強リブ１７は、上下方向においてプレート外周部１２から段差部１３を跨いで（通過して）プレート本体部１１まで達するように延びている。
詳しく言うと、補強リブ１７は、略Ｌ字形状体からなり、ボトムプレート１０の外周方向に沿った幅が約２〜５ｍｍ、当該外周方向とは略直交方向（上下方向）に沿った長さが約１５〜３５ｍｍ、プレート本体部１１表面、プレート外周部１２表面からのそれぞれの突出高さが約１〜３ｍｍ、約３〜５ｍｍとなるように設定されている。そして、複数の補強リブ１７の間隔（ピッチ）が約１０〜３０ｍｍ、補強リブ１７とプレート端末部１２ａとの間の距離が約３．５〜５ｍｍになるように設定されている。
【００２８】
シートＳでは、図５、図６に示すように、表皮材３０がボトムプレート１０、クッション材２０を巻き込んだ上で、表皮端末部３１がプレート外周部１２の裏面に取り付け部材１８で取り付けられて構成されている。
取り付け部材１８は、タッカー針（ステイプル）等からなり、ボトムプレート１０の裏面側から表皮端末部３１及びプレート外周部１２を順に貫通するように打ち込まれている。
取り付け部材１８は、プレート外周部１２に沿って間隔を空けて複数配置されている。
【００２９】
上記構成において、図５、図６に示すように、補強リブ１７は、ボトムプレート１０において表皮端末部３１が取り付けられる裏面とは反対側の表面に配置され、かつ、表皮端末部３１が取り付けられる部分と対向する位置に配置されている。
また補強リブ１７は、ボトムプレート１０においてプレート外周部１２から、取り付け部材１８及び表皮端末部３１よりも中央部分側の位置まで延びている。
そのため、ボトムプレート１０の裏面に表皮端末部３１を取り付け部材１８で取り付けるときに、補強リブ１７によってボトムプレート１０の変形や割れを抑制できる。
【００３０】
上記構成において、図３、図６に示すように、補強リブ１７は、ボトムプレート１０の外周方向に沿って間隔を空けて配置され、互いに隣り合う補強リブ１７が、当該外周方向において取り付け部材１８を挟む位置に配置されている。
また補強リブ１７同士の間隔が、取り付け部材１８よりも大きくなるように設定されている。
そのため、ボトムプレート１０の変形や割れを一層抑制でき、また、取り付け部材１８を補強リブ１７とは重ならない位置に目がけて容易に打ち込むことができる。
【００３１】
＜その他の実施形態＞
上記実施形態において、図５に示すように、補強リブ１７は、ボトムプレート１０において表皮端末部３１が取り付けられる裏面とは反対側の表面に配置されているが、特に限定されることなく表裏が反対の構成になっても良い。
例えば、表皮端末部３１が、ボトムプレート１０においてプレート外周部１２の表面に取り付けられるようなデザインの場合には、補強リブ１７はプレート外周部１２の裏面に配置されていると良い。
【００３２】
上記実施形態において、図３に示すように、補強リブ１７は、ボトムプレート１０の外周方向とは略直交方向（上下方向）に延びているが、特に限定されることなく、当該外周方向とは交差方向に延びていれば良い。
望ましくは、補強リブ１７は、ボトムプレート１０の外周方向とは交差方向であって、かつ、ボトムプレート１０の着座領域１１ｂに向かって各々放射状に延びていると良い。そうすれば、着座者の着座荷重が加わった際に、補強リブが効果的に着座荷重を受容する配置となって、ボトムプレート１０の変形や割れを一層抑制できる。
【００３３】
上記実施形態において、図４に示すように、補強リブ１７は、上下方向においてプレート外周部１２から段差部１３を通過してプレート本体部１１まで延びている。
一般にボトムプレート１０のような樹脂基材を成形する際には、直線状の部位については樹脂の流れが良く、内部ひずみも少ないため割れにくいが、線や面が変化する部位（折れ曲がり部）や金型の入れ子の部位については樹脂の流れが悪くなって割れ易くなる。
そこで、補強リブ１７が、ボトムプレート１０において比較的割れ易い部分となる段差部１３まで延びていることで、樹脂成形の観点からもボトムプレート１０の変形や割れを抑制することができる。
【００３４】
上記実施形態において、シートＳは、日射に直接曝されたり、風雨又は雪に直接曝されたりするオートバイ用のシートを具体例として説明したが、これに限定されることなく、例えば、雪上バイク、水上の水上バイク等の屋外で使用される鞍乗型乗り物用シートとしても利用することができる。
また、着座者が跨るように着座する鞍乗型乗り物用シートのほか、自動車、電車、バス等の車両用シートのほか、飛行機、船等の乗り物用シートとしても利用することができる。
【００３５】
本実施形態では、主として本発明に係る乗り物用シートに関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
特に、ボトムプレートの面に設けられる補強リブの形状、配置及び構成について、上記の実施形態にて説明したものは、あくまで一例に過ぎず、本発明を限定するものではない。
【符号の説明】
【００３６】
Ｓ  シート
１０  ボトムプレート
１１  プレート本体部
１１ａ  ヒンジ取り付け領域
１１ｂ  着座領域
１１ｃ  給油口対応領域
１２  プレート外周部
１２ａ  プレート端末部
１３  段差部（折れ曲がり部）
１４  突出リブ
１５（１５ａ，１５ｂ）  環状凸部
１６  環状凹部
１７  補強リブ
１８  取り付け部材
２０  クッション材
３０  表皮材
３１  表皮端末部
【図１】
2016159888.tif 000003
【図２】
2016159888.tif 000004
【図３】
2016159888.tif 000005
【図４】
2016159888.tif 000006
【図５】
2016159888.tif 000007
【図６】
2016159888.tif 000008